(57)【要約】【課題】透湿防水シートを伝って落下する水を軒裏空間に滞留させることなく適切に排出する。【解決手段】建物構造１は、軒天井１０と、軒天井１０の先端に立設された外壁１１とを有する。軒天井１０の裏面側には、軒天井１０と外壁１１に囲まれた軒裏空間１３が形成されている。外壁１１は、外装パネル２０と、その内側に配置される断熱材２２を有する。断熱材２２には、外側面に透湿防水シート３０が貼り付けられている。軒天井１０と外壁１１の連結部分には、外部空間Ａと軒裏空間１３を連通する通気孔７１が形成されている。通気孔７１は、軒裏空間側の上部開口７１ａが透湿防水シート３０の下に位置し、上部開口７１ａに落下した水は外部空間Ａに流出する。【選択図】図１
2012012853.tif 000002
【特許請求の範囲】
【請求項１】
建物構造であって、
軒天井と、当該軒天井の先端に立設された外壁とを有し、前記軒天井の裏面側には、当該軒天井と前記外壁に囲まれた軒裏空間が形成され、
前記外壁は、外装パネルと、その内側に配置された内側部材を有し、
前記内側部材には、前記外装パネル側の外側面に透湿防水シートが貼り付けられ、
前記軒天井と前記外壁の連結部分には、外部空間と前記軒裏空間を連通する通気孔が形成され、
前記通気孔は、前記軒裏空間側の開口が前記透湿防水シートの下に位置し、当該開口に落下した水が前記外部空間に流出するように構成されている、建物構造。
【発明の詳細な説明】
【技術分野】
【０００１】
本発明は、軒天井と、当該軒天井の先端に立設された外壁とを有し、前記軒天井の裏面側に、当該軒天井と前記外壁に囲まれた軒裏空間が形成されている建物構造に関する。
【背景技術】
【０００２】
従来より、片持式のバルコニーや、居室やバルコニーの下にピロティ等を有する建物構造では、軒天井と、その軒天井の先端に立設された外壁を有し、軒天井の裏側に、当該軒天井と外壁に囲まれた軒裏空間が形成されていることがある。例えばこの場合、軒裏空間に湿気が篭らないようにする為に、軒天井の先端部と外壁の下端部のコーナー部にある見切材に通気孔が設けられている（特許文献１参照。）。
【０００３】
一方、例えばバルコニーの外壁では、外装パネルの内側に、例えばその外装パネルの下地となる断熱材が設置されている。その外装パネルの目地部等の隙間から侵入した雨水を遮断しつつ、錆や腐食の原因となる湿気を通すために、断熱材の外装パネル側の表面に透湿防水シートを貼着することがある。
【先行技術文献】
【特許文献】
【０００４】
【特許文献１】特開２００７−１７０１３７号公報
【発明の概要】
【発明が解決しようとする課題】
【０００５】
しかしながら、上述の建物構造では、透湿防水シートの表面まで浸入した水が透湿防水シートの表面を伝って流れ落ち、軒裏空間に滞留する虞があった。軒裏空間に水が滞留すると、例えばその水分により軒裏空間の周辺部材の錆や腐食を招く虞がある。
【０００６】
本発明はかかる点に鑑みてなされたものであり、透湿防水シートを伝って落下する水を軒裏空間に滞留させることなく適切に排出することをその目的とする。
【課題を解決するための手段】
【０００７】
上記目的を達成するための本発明は、建物構造であって、軒天井と、当該軒天井の先端に立設された外壁とを有し、前記軒天井の裏面側には、当該軒天井と前記外壁に囲まれた軒裏空間が形成され、前記外壁は、外装パネルと、その内側に配置された内側部材を有し、前記内側部材には、前記外装パネル側の外側面に透湿防水シートが貼り付けられ、前記軒天井と前記外壁の連結部分には、外部空間と前記軒裏空間を連通する通気孔が形成され、前記通気孔は、前記軒裏空間側の開口が前記透湿防水シートの下に位置し、当該開口に落下した水が前記外部空間に流出するように構成されているものである。
【０００８】
本発明によれば、透湿防水シートを伝って落下した水が通気孔の開口に入って外部空間に排出されるので、水を軒裏空間に滞留させることなく適切に排出できる。また、通気孔を用いて水を排出できるので、別途排水孔を設ける必要がなく、建物構造を単純化できる。
【発明の効果】
【０００９】
本発明によれば、水を軒裏空間に滞留させることなく適切に排出できるので、軒裏空間の周辺部材の錆や腐食を防止できる。
【図面の簡単な説明】
【００１０】
【図１】建物構造の構成を示す縦断面の説明図である。
【図２】建物構造の構成を示す横断面の説明図である。
【図３】見切部材の構成を示す縦断面である。
【図４】見切部材の上面図である。
【発明を実施するための形態】
【００１１】
以下、図面を参照して、本発明の好ましい実施の形態について説明する。図１は、本実施の形態に係る建物構造１を示す説明図である。
【００１２】
建物構造１は、例えばベランダやバルコニーを構成するものであり、例えば軒天井１０と、当該軒天井１０の先端に立設された外壁１１と、軒天井１０の上方に設置される床１２を有している。軒天井１０の裏面側には、当該軒天井１０と、外壁１１及び床１２に囲まれた軒裏空間１３が形成されている。
【００１３】
外壁１１は、例えば外側から内側に向けて、外装パネル２０と、胴縁２１と、内側部材としての断熱材２２と、壁体２３と、内側パネル２４をこの順で有している。
【００１４】
外装パネル２０は、例えば軽量気泡コンクリート（ＡＬＣ（Autoclaved Lightweight aerated Concrete））により構成され、厚みのある板状に形成されている。胴縁２１は、例えば亜鉛系めっきで被覆された薄板軽量形鋼からなり、上下方向に長い板状に形成されている。胴縁２１は、図２に示すように外装パネル２０と断熱材２２との間に、外装パネル２０の左右方向Ｘに沿って複数設けられている。これにより、断熱材２２と外装パネル２０との間に空間（通気層）が形成される。
【００１５】
断熱材２２は、外装パネル２０に対向するように厚みのある板状に形成されている。外装パネル２０は、その外装パネル２０の外側から挿入され胴縁２１を貫通し断熱材２２に至るビス３１により断熱材２２に固定されている。図１に示すように断熱材２２の外側表面には、透湿防水シート３０が貼られている。透湿防水シート３０は、例えば断熱材２２の下端よりも下方まで延びている。
【００１６】
壁体２３は、板状に立設する複数の縦フレーム４０と、縦フレーム４０の下方に位置する横フレーム４１と、縦フレーム４０と横フレーム４１の間に位置する補強材４２と、縦フレーム４０の上方に位置する補強材４３を有している。縦フレーム４０及び補強材４３が床１２より高い位置にあり、補強材４２及び横フレーム４１が床１２より低い位置にある。縦フレーム４０、横フレーム４１及び補強材４２、４３は、例えば形鋼により構成されている。
【００１７】
縦フレーム４０は、図２に示すようにロの字型に形成され、外装パネル２０の左右方向Ｘに沿って複数設けられている。図１に示すように例えば縦フレーム４０の下部には、方形の切欠部４０ａが形成されている。補強材４２は、外装パネル２０の左右方向Ｘに延びる長い板状に形成され、各縦フレーム４０の切欠部４０ａに挿通されている。これにより、縦フレーム４０が補強材４２上に載置されている形になる。また、補強材４３は、外装パネル２０の左右方向Ｘに延びる板状に形成され、各縦フレーム４０の上方を通っている。横フレーム４１は、コの字型に形成され、縦フレーム４０及び補強材４２の下部に配置され、左右方向Ｘに延びている。横フレーム４１には、外側の断熱材２２側の空間と軒裏空間１３とを連通するための通気孔４１ａが形成されている。
【００１８】
内側パネル２４は、壁体２３の内側に設置されている。また、外壁１１の上端部には、セラミックス製の笠木５０が設置されている。なお、外壁１１には、軒裏空間１３に通じる通気部（図示せず）が形成されている。
【００１９】
床１２は、建物の居室部Ｂ側から外壁１１まで水平に突出した梁部６０と、当該梁部６０上に設置された床板６１と、当該床板６１上に防水シートなどを介在して設置されたマット６２等を有している。
【００２０】
軒天井１０は、例えば繊維混入珪酸カルシウム板などの耐火性を有する板材からなり、建物の居室部Ｂから外壁１１の下端部まで水平に突出している。
【００２１】
図３に示すように軒天井１０の先端と外壁１１との連結部分には、見切部材７０が設けられている。見切部材７０は、例えば窯業系材料から構成されている。見切部材７０は、外壁１１の左右方向Ｘに沿って形成されている。見切部材７０は、軒下側の外部空間Ａと軒裏空間１３を連通する通気孔７１を有している。通気孔７１は、軒裏空間側の上部開口７１ａが透湿防水シート３０の直下に位置している。例えば軒裏空間側の上部開口７１ａは、外壁１１の左右方向Ｘに沿って長いスリット状に形成されている。通気孔７１の外部空間Ａ側の下部開口７１ｂも、外壁１１に沿って長いスリット状に形成されている。通気孔７１の上部開口７１ａと下部開口７１ｂの間には、図４に示すように外壁１１の左右方向Ｘに沿って並ぶ複数の穴部７１ｃが形成されている。透湿防水シート３０を伝って落下した水は、通気孔７１の上部開口７１ａ内に入り、いずれかの穴部７１ｃに入り、下部開口７１ｂから外部空間Ａに流出する。
【００２２】
また、図３に示すように見切部材７０の通気孔７１よりも外側の下面には、通気孔７１側から外側に向けて下がる傾斜面７０ａが形成されている。また、見切部材７０の通気孔７１よりも内側には、通気孔７１側に水平に突出する突出部７０ｂが形成されている。
【００２３】
また、見切部材７０の先端部の上面には、シーリング材８０を充填した溝部７０ｃが形成されている。外装パネル２０は、見切部材７０の先端部上にシーリング材８０を挟んで設置される。見切部材７０の内側端部には、段部７０ｄが形成されており、この段部７０ｄ上に軒天井１０の先端が支持されている。
【００２４】
以上のような建物構造１では、平常時には、外壁１１の通気部（図示せず）から入り込んだ空気が、外壁１１内の通気層や軒裏空間１３を経由し、見切部材７０の通気孔７１を通る流通ルートが形成され、外壁１１の内部や軒裏空間１３の通気が行われる。そして、万が一、外装パネル２０の内側に雨水等の水が浸入してきた場合には、水は透湿防水シート３０を伝って落下し、見切部材７０の通気孔７１を通じて速やかに外部空間Ａに排出される。これにより、水を軒裏空間１３に滞留させることなく適切に排出でき、軒裏空間１３の周辺の形鋼等からなる各種部材の錆や腐食を防ぐことができる。
【００２５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２６】
例えば以上の実施の形態で記載した外壁１１や軒天井１０、床１２などは、他の構造を有していてもよい。また、例えば以上の実施の形態では、建物構造１が片持式のバルコニーに関するものであったが、本発明は、軒天井と、当該軒天井の先端に立設する外壁とで軒裏空間が形成される構造全般、例えば、ピロティなどの架構内外部空間が形成された建物において上階の外周壁とピロティの軒天井とで軒裏空間が形成されているものや、ピロティの上部に腰壁形式の手摺を有するバルコニーが形成されて、バルコニーの外壁と軒天井とで軒裏空間が形成されているものなどにも適用できる。
【産業上の利用可能性】
【００２７】
本発明は、外壁内の透湿防水シートを伝って落下した水を、軒裏空間に滞留させないように適切に排出する際に有用である。
【符号の説明】
【００２８】
１  建物構造
１０  軒天井
１１  外壁
１２  床
１３  軒裏空間
２０  外装パネル
２２  断熱材
３０  透湿防水シート
７０  見切部材
７１  通気孔
７１ａ  上部開口
７１ｂ  下部開口
Ａ  外部空間
【図１】
2012012853.tif 000003
【図２】
2012012853.tif 000004
【図３】
2012012853.tif 000005
【図４】
2012012853.tif 000006